(57)【要約】【課題】表示部に表示される画像を遠隔で適時に監視するための波形表示装置を提供する。【解決手段】波形表示装置は、少なくとも映像信号の波形表示データを含む画像データを生成する手段（３５）と、画像データを表示する手段（３６）と、画像データから、所定の形式で圧縮された動画データを生成する手段（７１）と、動画データをパケット化する変換部（３８）と、パケット化された動画データをネットワークに出力するインターフェース手段（３９）と、を備える。波形表示装置は、圧縮された映像信号を圧縮されていないパラレルデータに変換する手段（５１）を、さらに備えることができ、前記波形表示データは、パラレルデータから変換される。波形表示装置は、圧縮された映像信号の伝送状態を解析し、解析データを生成する手段（５２）を、さらに備えることができ、前記画像データは、解析データも含む。【選択図】  図７
2006279672.tif 000002
【特許請求の範囲】
【請求項１】
少なくとも映像信号の波形表示データを含む画像データを生成する手段（３５）と、
画像データを表示する手段（３６）と、
画像データから、所定の形式で圧縮された動画データを生成する手段（７１）と、
動画データをパケット化する変換部（３８）と、
パケット化された動画データをネットワークに出力するインターフェース手段（３９）と、
を備える波形表示装置。
【請求項２】
請求項１に記載の波形表示装置であって、
圧縮された映像信号を圧縮されていないパラレルデータに変換する手段（５１）を、
さらに備え、
前記波形表示データは、パラレルデータから変換される、波形表示装置。
【請求項３】
請求項２に記載の波形表示装置であって、
圧縮された映像信号の伝送状態を解析し、解析データを生成する手段（５２）を、
さらに備え、
前記画像データは、解析データも含む、波形表示装置。
【請求項４】
請求項１に記載の波形表示装置であって、
圧縮された映像信号の伝送状態を解析し、解析データを生成する手段（５２）を、
さらに備え、
前記画像データは、解析データも含む、波形表示装置。
【請求項５】
波形表示装置とネットワークとコンピュータとを含むシステムであって、
波形表示装置は、
少なくとも映像信号の波形表示データを含む画像データを生成する手段（３５）と、
画像データを表示する手段（３６）と、
画像データから、所定の形式で圧縮された動画データを生成する手段（７１）と、
動画データをパケット化する変換部（３８）と、
パケット化された動画データをネットワークに出力するインターフェース手段（３９）と、
を備え、
コンピュータは、
パケット化された動画データをネットワークから入力する手段（９４）と、
パケット化された動画データを非パケット化する手段（９３）と、
動画データを表示する手段（９１）と、
を備える、システム。
【発明の詳細な説明】
【技術分野】
【０００１】
本発明は、ネットワークに接続可能な波形表示装置に関連し、より詳細には、表示部に表示される画像データを圧縮してネットワークに出力可能な波形表示装置に関連する。
【背景技術】
【０００２】
(遠隔監視)
図１は、映像信号の監視するシステムを概略的に説明するための図である。図１に示すように、映像信号の監視するシステムは、コンピュータ１と、ネットワーク２と、Ｎ個の波形表示装置３−１、．．．、３−Ｎと、を備える。コンピュータ１は、ネットワーク２を介して各波形表示装置３を遠隔操作することができ、このような遠隔操作を可能にするためのソフトウェアは、例えば、以下に示す特許文献１等に開示されている。
【０００３】
例えば、コンピュータ１が、ある１つの波形表示装置３−１に対してその波形表示装置３の表示部に表示される画像を捕獲することを指示すると、その波形表示装置３は、捕獲した画像をビットマップ形式でネットワーク２を介してコンピュータ１に送信する。図２は、画像を捕獲することを指示するためのボタン４が、コンピュータ１の表示部に表示される１例を表す。図３は、捕獲された画像を表示するウインドウ５が、コンピュータ１の表示部に表示される１例を表す。
【０００４】
(現場での監視)
図４は、例えば放送局における映像信号の流れを概略的に説明するための図である。図４に示すように、放送局Ａにおいて、ＭＰＥＧ−ＴＳ（トランスポートストリーム）信号は、ＴＳ出力装置１１からデジタル変調装置１２に流れ、また、例えばＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  ｔｒａｎｓｍｉｓｓｉｏｎ）形式でデジタル変調されたＴＳ信号は、デジタル変調装置１２からアップコンバータ１３に流れ、さらに、第１の所定の周波数に変換されたＴＳ信号は、放送局Ａから伝送される。なお、ＴＳ出力装置１１の代わりに、ＤＶ（ＤｉｇｉｔａｌＶｉｄｅｏ）ストリームを出力する装置を用いることもでき、この場合において、ＴＳ信号の代わりに、ＤＶストリーム信号が、放送局Ａから伝送される。以下、ＴＳ信号を用いて説明するが、ＴＳ信号の代わりに、ＤＶストリーム信号など、他の形式で圧縮された信号を用いてよい。
【０００５】
放送局Ｂにおいて、伝送されたＴＳ信号は、ダウンコンバータ２１によって第２の所定の周波数に変換され、さらに、デジタル復調装置２２によって、ＴＳ信号に復調される。デジタル復調装置２２から出力されるＴＳ信号は、アナライザ２３に入力され、そこで、ＴＳ信号の伝送状態が解析される。
【０００６】
アナライザ２３は、ＴＳ信号に代表されるようなＭＰＥＧ形式で圧縮された映像信号の伝送状態を解析し、その解析結果を表示する。このようなアナライザ２３は、例えば、以下で示す特許文献２、特許文献３、非特許文献１、非特許文献２等に開示されている。しかしながら、アナライザ２３は、映像信号の波形を表示することができない。したがって、ユーザは、アナライザ２３を用いて、映像信号の波形を監視することができなかった。このような状況において、従来、ユーザは、デコーダ２４及び波形表示装置２５をさらに用意する必要があった。
【０００７】
デジタル復調装置２２から出力されるＴＳ信号は、デコーダ２４にも入力され、また、ＴＳ信号から変換されたＳＤＩ（シリアル・デジタル・インターフェース）信号は、デコーダ２４から波形表示装置２５に流れる。なお、このようなデコーダ２４は、例えば、以下で示す非特許文献３等に開示され、また、このような波形表示装置２４は、例えば、以下で示す非特許文献４等に開示されている。
【０００８】
図５は、波形表示装置２５の概略的な機能ブロック図である。図５に示されるように、ＳＤＩ信号は、変換部３１によってパラレルデータに変換され、また、パラレルデータは、生成部３３によって波形表示データに変換される。場合により、パラレルデータは、生成部３３によってベクトルスコープデータ及び／又は映像データに変換される。生成部３３によって生成されたデータ（例えば、波形表示データ、ベクトルスコープデータ、映像データなど）は、表示用のデータに変換された後で、画像生成部３５に流れ、また、ユーザは、表示部３６に表示されるデータを監視することができる。
【０００９】
また、図５に示されるように、ＳＤＩ信号は、解析部３２によって解析データに変換され、また、解析データは、生成部３４によって表示用の解析データに変換され、さらに、表示用の解析データは、画像生成部３５に流れる。
【００１０】
画像生成部３５は、生成部３３によって生成された表示用のデータ（例えば、波形表示、ベクトルスコープ及び映像を同時に表示するためのデータ）と、生成部３４によって生成された表示用の解析データとを１つの画像（フレーム）データとして統合し、表示部３６に出力する。表示部３６は、１つの画像（フレーム）データを表示する。これにより、ユーザは、生成部３３によって生成されたデータ（例えば、波形表示データ、ベクトルスコープデータ、映像データなど）と、生成部３４によって生成された表示用の解析データとを監視することができる。
【００１１】
なお、制御部４０は、ネットワーク２、インターフェース３９及びＩＰ変換部３８を介してコンピュータ１からの捕獲指示を入力し、その捕獲指示を画像捕獲部３７に出力する。画像捕獲部３７は、表示部３６に入力される画像（フレーム）データと同じデータを入力する。画像捕獲部３７は、コンピュータ１からの捕獲指示に応じて、入力した画像（フレーム）データから、ＢＭＰ形式の静止データを生成する。この静止データは、コンピュータ１の表示部に表示され、これにより、遠隔監視が可能となる。
【特許文献１】Ｌｅａｄｅｒ  Ｅｌｅｃｔｒｏｎｉｃｓ  Ｃｏｒｐ．、“ＦＳ  ３０１９（Ｐｒｏｄｕｃｔｓ）”、インターネット＜URL：http://www.leader.co.jp/english/product/fs＿3019＿e.html＞
【特許文献２】米国特許第５，７７４，４９７号明細書
【特許文献３】米国特許第６，６５０，７１９号明細書
【非特許文献１】報映産業株式会社、“ＤＶＳｔａｔｉｏｎ（製品情報）”、インターネット＜URL：http://www.hoei.co.jp/japan/product/pixelmetrix/dvstation.html＞
【非特許文献２】Ｔｅｋｔｒｏｎｉｘ，Ｉｎｃ．、“ＭＰＥＧ  Ｔｅｓｔ  Ｓｙｓｔｅｍ（Ｐｒｏｄｕｃｔｓ）”、インターネット＜URL：http://www.tek.com/site/ps/0,,2A-14844-INTRO＿EN,00.html＞
【非特許文献３】ＮＴＴ  Ｅｌｅｃｔｒｏｎｉｃｓ  Ｃｏｒｐｏｒａｔｉｏｎ、“ＨＤＴＶ  Ｄｅｃｏｄｅｒ  ＨＤ１０００（Ｐｒｏｄｕｃｔｓ）”、インターネット＜URL：http://www.nel-world.com/products/systems/hdtv＿en＿de.html＞
【非特許文献４】Ｌｅａｄｅｒ  Ｅｌｅｃｔｒｏｎｉｃｓ  Ｃｏｒｐ．、“ＬＶ  ５７５０（Ｐｒｏｄｕｃｔｓ）”、インターネット＜URL：http://www.leader.co.jp/english/product/lv＿5750＿e.html＞
【発明の開示】
【発明が解決しようとする課題】
【００１２】
波形表示装置の表示部に表示される画像を遠隔で監視する場合、波形表示装置から出力される画像は、ビットマップ形式の静止画像であった。波形表示装置の表示部に表示される画像は、一般的に、２４ビットのＸＧＡ（１０２４×７６８画素）形式の画像であり、１８，８７４，３６８（１０２４×７６８×２４）ビットの情報を有する。したがって、コンピュータが、１つの画像を捕獲することを指示し、その画像を波形表示装置から受信する時間は、おおよそ、１０秒程度要していた。それゆえに、コンピュータは、波形表示装置の表示部に表示される画像を遠隔で適時に監視することができなかった。
【００１３】
加えて、圧縮された伝送信号（ＴＳ信号、ＤＶストリーム信号など）の伝送状態及び／又は波形状態を監視するために、映像信号の監視するシステムは、アナライザ及び／又はデコーダをさらに備える必要があった。
【００１４】
本発明の目的は、表示部に表示される画像を遠隔で適時に監視するための波形表示装置を提供することである。
本発明のもう１つの目的は、圧縮された伝送信号の伝送状態及び／又は波形状態を遠隔で適時に監視するための波形表示装置を提供することである。
【００１５】
本発明の他の目的は、特許請求の範囲、以下に説明する発明の実施形態、及び、図面を参照することにより、当業者によって明らかであろう。
【課題を解決するための手段】
【００１６】
本発明の波形表示装置は、少なくとも映像信号の波形表示データを含む画像データを生成する手段（３５）と、画像データを表示する手段（３６）と、画像データから、所定の形式で圧縮された動画データを生成する手段（７１）と、動画データをパケット化する変換部（３８）と、パケット化された動画データをネットワークに出力するインターフェース手段（３９）と、を備える。
【００１７】
波形表示装置は、圧縮された映像信号を圧縮されていないパラレルデータに変換する手段（５１）を、さらに備えることができ、前記波形表示データは、パラレルデータから変換される。波形表示装置は、圧縮された映像信号の伝送状態を解析し、解析データを生成する手段（５２）を、さらに備えることができ、前記画像データは、解析データも含む。
【００１８】
また、本発明のシステムは、波形表示装置とネットワークとコンピュータとを含み、コンピュータは、パケット化された動画データをネットワークから入力する手段（９４）と、パケット化された動画データを非パケット化する手段（９３）と、動画データを表示する手段（９１）と、を備える。
【発明の効果】
【００１９】
波形表示装置から出力される画像は、圧縮されているため、コンピュータは、ほぼ動画像としての情報を損なうことなくその画像を受信することができる。また、波形表示装置から出力される画像は、動画であるので、コンピュータは、波形表示装置の表示部に表示される画像を遠隔で的確に監視することができる。他の効果は、特許請求の範囲、以下に説明する発明の実施形態、及び、図面を参照することにより、当業者によって明らかであろう。
【発明を実施するための最良の形態】
【００２０】
図７は、本発明の波形表示装置４１の概略的な機能ブロック図を表す。図７に示されるように、波形表示装置４１は、従来の波形表示装置と同様に、変換部３１と、生成部３３と、解析部３２と、生成部３４と、画像生成部３５と、表示部３６と、ＩＰ変換部３８と、インターフェース３９と、制御部４０とを備える。波形表示装置４１はさらに、画像捕獲部３７の代わりに、画像圧縮部７１を備える。
【００２１】
変換部３１は、ＳＤＩ信号をパラレルデータに変換し、また、生成部３３は、パラレルデータを波形表示データに変換する。好ましくは、生成部３３は、パラレルデータをベクトルスコープデータ及び／又は映像データにも変換する。なお、生成部３３は、パラレルデータから他のデータを生成してもよい。生成部３３は、パラレルデータから生成したデータを表示用のデータ（例えば、波形表示、ベクトルスコープ及び映像を同時に表示するためのデータ）に変換（統合）し、画像生成部３５に出力する。
【００２２】
解析部３２は、ＳＤＩ信号の伝送状態を解析し、解析データを生成し、生成部３４に出力する。生成部３４は、解析データを表示用の解析データに変換（統合）し、画像生成部３５に出力する。
【００２３】
画像生成部３５は、生成部３３によって生成された表示用のデータ（例えば、波形表示、ベクトルスコープ及び映像を同時に表示するためのデータ）と、生成部３４によって生成された表示用の解析データとを１つの画像（フレーム）データとして統合し、表示部３６及び信号圧縮部７１に出力する。
【００２４】
表示部３６は、従来の表示部と同様に表示する（図６）。図６に示されるように、必要に応じて、波形表示（右上）、ベクトルスコープ（左上）、映像（右下）及び解析結果（左下）は、同時に表示される。もっとも、波形表示、ベクトルスコープ、映像及び解析結果は、同時に表示しなくてもよい。すなわち、ユーザによって、波形表示だけが選択されている場合、生成部３３は、波形表示データだけを生成し、生成部３４は、その機能を停止し、生成部３５は、生成部３３によって生成された表示用のデータ（波形表示だけを表示するためのデータ）を１つの画像（フレーム）データとして入力し、表示部３６及び信号圧縮部７１に出力する。
なお、表示部３６が、１秒当たり、６０の画像（フレーム）データを表示する場合、生成部３３、３４及び３５は、それぞれ、１秒当たり、６０のデータを出力する。
【００２５】
信号圧縮部７１は、表示部３６に入力される画像（フレーム）データと同じデータを入力する。信号圧縮部７１は、コンピュータ１からの捕獲指示に応じて、入力した画像（フレーム）データから、所定の形式（例えば、ＭＰＥＧ形式、ＤＶ形式、ＡＶＩ形式、ＭｏｔｉｏｎＪＰＥＧ形式など）で圧縮された動画データを生成し、ＩＰ変換部３８に出力する。
【００２６】
ＩＰ変換部３８は、所定の形式で圧縮された動画データをＩＰ化し、インターフェース３９を介してネットワーク２に出力する。ＩＰ変換部３８は、一般的に、ＴＣＰ／ＩＰ（Ｔｒａｎｓｍｉｓｓｉｏｎ  Ｃｏｎｔｒｏｌ  Ｐｒｏｔｏｃｌ／Ｉｎｔｅｒｎｅｔ  Ｐｒｏｔｏｃｏｌ）方式に従って、出力するデータをパケット化する。
【００２７】
インターフェース３９は、一般的に、イーサネットが用いられ、好ましくは、１００ＢＡＳＥ−Ｔ以上の性能を持つ。ネットワーク２は、一般的に、ＬＡＮであるが、インターネット接続機能をインターフェース３９に持たせることで、インターネットであってもよい。
【００２８】
制御部４０は、ネットワーク２、インターフェース３９及びＩＰ変換部３８を介してコンピュータ１からの捕獲指示を入力し、その捕獲指示を画像捕獲部３７に出力する。具体的には、ＩＰ変換部３８は、パケット化された捕獲指示データをインターフェース３９を介してネットワーク２に入力する。ＩＰ変換部３８はさらに、パケット化された捕獲指示データを非パケット化し、制御部４０に出力する。制御部４０は、捕獲指示データを信号圧縮部７１に出力する。
【００２９】
なお、生成部３３、３４及び３５は、それぞれ、別個の機能ブロックとして説明したが、これらの生成部３３、３４及び３５は、１つのＣＰＵとして構成することができる。また、生成部３３、３４及び３５は、それぞれ、１つのＣＰＵとして構成してもよい。さらに、変換部３１及び解析部３２も、生成部３３、３４及び３５とともに、１つのＣＰＵとして構成することができる。加えて、圧縮部７１、変換部３８及び制御部４０も、生成部３３、３４及び３５とともに、１つのＣＰＵとして構成することができる。
【００３０】
図１中の複数の波形表示装置３の少なくとも１つを本発明の波形表示装置４１に置換することにより、本発明に従ったシステムを構築することができる。好ましくは、図１中の複数の波形表示装置３のすべてを波形表示装置４１に置換する。
【００３１】
例えば、図１中の波形表示装置３−１だけを本発明の波形表示装置４１に置換したシステムを以下に説明する。図８は、本発明に従った、映像信号の監視するシステムを概略的に説明するための図である。コンピュータ１の表示部には、図２と同様に、画像を捕獲することを指示するためのボタン４が、表示される。コンピュータ１が、ある１つの波形表示装置４１に対してその波形表示装置４１の表示部３６に表示される画像を捕獲することを指示すると、その波形表示装置４１は、捕獲した画像を、所定の形式で圧縮された動画データとして、ネットワーク２を介してコンピュータ１に送信する。コンピュータ１は、図３と同様に、ウインドウ内で動画データを再生する。
【００３２】
図９は、コンピュータ１の概略的な機能ブロック図を表す。コンピュータ１は、表示部９１と、制御部９２と、ＩＰ変換部９３と、インターフェース９４とを備える。制御部９２は、ネットワーク２に接続された少なくとも１つの波形表示装置と、その波形表示装置の表示部に表示される画像を捕獲することを指示するためのボタン４とを表すためのデータを表示部９１に出力する。例えば、ある１つの波形表示装置４１に対応するボタン４が選択されると、制御部９２は、その波形表示装置４１の表示部３６に表示される画像を捕獲することを指示データをＩＰ変換部９３に出力する。ＩＰ変換部９３は、例えばＴＣＰ／ＩＰ方式に従ってその捕獲指示データをパケット化し、インターフェース９４（例えばイーサネット）を介してネットワーク２に出力する。
【００３３】
また、ＩＰ変換部９３は、波形表示装置４１からのパケット化された動画データをネットワーク２からインターフェース９４を介して入力する。ＩＰ変換部９３はさらに、パケット化された動画データを非パケット化し、制御部９２に出力する。制御部９２は、動画データを表示部９１上で再生する。
なお、制御部９２及びＩＰ変換部３５は、それぞれ、別個の機能ブロックとして説明したが、これらは、１つのＣＰＵとして構成することができる。
【００３４】
ところで、例えば放送局においては、ＳＤＩ信号だけでなく、圧縮された伝送信号（ＴＳ信号、ＤＶストリーム信号など）も併存する。したがって、波形表示装置４１は、圧縮された伝送信号を処理できることが好ましい。図１０は、本発明の波形表示装置４１のもう１つの概略的な機能ブロック図を表す。図１０に示すように、波形表示装置４１は、変換部５１及び解析部５２において、１つの圧縮された伝送信号を入力し、また、変換部３１及び解析部３２において、ＳＤＩ信号を入力する。なお、変換部３１及び解析部３２の動作は、図７を参照しながら説明した動作と同様である。
【００３５】
変換部５１は、圧縮された伝送信号をパラレルデータに変換し、生成部３３に出力する。ユーザによって、圧縮された伝送信号が選択されている場合、生成部３３は、変換部５１からのパラレルデータを波形表示データ（好ましくは、及び、ベクトルスコープデータ及び／又は映像データ）に変換し、また、パラレルデータから生成したデータを表示用のデータ（例えば、波形表示、ベクトルスコープ及び映像を同時に表示するためのデータ）に変換（統合）し、画像生成部３５に出力する。ユーザによって、ＳＤＩ信号が選択されている場合、生成部３３は、図７を参照しながら説明した動作と同様である。
【００３６】
解析部５２は、圧縮された伝送信号の伝送状態を解析し、解析データを生成し、生成部３４に出力する。ユーザによって、圧縮された伝送信号が選択されている場合、生成部３４は、解析部３２からの解析データを表示用の解析データに変換（統合）し、画像生成部３５に出力する。ユーザによって、ＳＤＩ信号が選択されている場合、生成部３４は、図７を参照しながら説明した生成部５３の動作と同様である。他の手段は、図７を参照しながら説明した手段の動作と同様である。
【００３７】
圧縮された伝送信号がＴＳ信号であり、ユーザによって、ＴＳ信号が選択され、さらに、波形表示、ベクトルスコープ、映像及び解析結果が選択される場合、表示部３６及びコンピュータ１の表示部内のウインドウは、例えば、図１１のように表示する。図１１において、右上は、波形表示であり、左上は、ベクトルスコープであり、右下は、映像であり、左下は、解析結果（ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）が推奨するＥＴＲ２９０に規定される項目）である。
【００３８】
なお、本発明は、上述の実施形態に限定されず、また、当業者は、上述の実施形態を特許請求の範囲に含まれる範囲まで、容易に変更することができるであろう。
【図面の簡単な説明】
【００３９】
【図１】映像信号の監視するシステムを概略的に説明するための図である。
【図２】画像を捕獲することを指示するためのボタン４が、コンピュータ１の表示部に表示される１例を表す。
【図３】捕獲された画像を表示するウインドウ５が、コンピュータ１の表示部に表示される１例を表す。
【図４】例えば放送局における映像信号の流れを概略的に説明するための図である。
【図５】波形表示装置２５の概略的な機能ブロック図である。
【図６】生成部３３によって生成された波形表示データ、ベクトルスコープデータ及び映像データ、並びに、生成部３４によって生成された解析データを表示する１例を表す。
【図７】本発明の波形表示装置４１の概略的な機能ブロック図を表す。
【図８】本発明に従った、映像信号の監視するシステムを概略的に説明するための図である。
【図９】コンピュータ１の概略的な機能ブロック図を表す。
【図１０】本発明の波形表示装置４１のもう１つの概略的な機能ブロック図を表す。
【図１１】表示部３６及びコンピュータ１の表示部内のウインドウに表示される１例を表す。
【図１】
2006279672.tif 000003
【図２】
2006279672.tif 000004
【図３】
2006279672.tif 000005
【図４】
2006279672.tif 000006
【図５】
2006279672.tif 000007
【図６】
2006279672.tif 000008
【図７】
2006279672.tif 000009
【図８】
2006279672.tif 000010
【図９】
2006279672.tif 000011
【図１０】
2006279672.tif 000012
【図１１】
2006279672.tif 000013